(57)【要約】【課題】本体ケースが淡い色に着色してある場合に、ケース内に収容したディスクの外縁形状などが見えるのを解消して、本体ケースの表面に設けられる印刷表示や装飾模様などのデザイン効果を十分に発揮できるようにし、購買者に対するディスクカートリッジの訴求効果の向上を図る。【解決手段】本体ケース１のハーフケース１ａ・１ｂのうち、上ハーフケース１ａを乳白色化された淡い色彩のプラスチック材で成形する。さらに、上ハーフケース１ａと対向するディスク２のレーベル面側に白色印刷層１２を形成して、ディスク２の外縁形状が上ハーフケース１ａを介して見えるのを防ぐ。上ハーフケース１ａの表面には、マットインクを印刷して半透明のベタ印刷層１０を形成する。【選択図】図１
2007095225.tif 000002
【特許請求の範囲】
【請求項１】
本体ケースと、前記本体ケースの内部に収容される情報記録用のディスクとを備えており、
前記本体ケースが乳白色化された淡い色彩のプラスチック材で成形されており、前記ディスクのレーベル面側に白色印刷層が形成されていることを特徴とするディスクカートリッジ。
【請求項２】
前記本体ケースの表面に、マットインクを用いて半透明のベタ印刷層が形成されている請求項１記載のディスクカートリッジ。
【請求項３】
前記本体ケースが、上下一対のハーフケースを蓋合わせ状に結合してなり、
前記ハーフケースのうち、上ハーフケースが乳白色化された淡い色彩のプラスチック材で成形されており、
前記上ハーフケースと対向する前記ディスクの前記レーベル面側に前記白色印刷層が形成されている請求項２記載のディスクカートリッジ。
【発明の詳細な説明】
【技術分野】
【０００１】
本発明は、本体ケースの内部にディスク状の情報記録媒体を収容してあるディスクカートリッジに関する。
【背景技術】
【０００２】
本発明のディスクカートリッジに関して、本体ケースの外表面にベタ印刷を施すことは公知である（特許文献１参照）。そこでは、本体ケースの中央部および辺部に、本体ケースの成形色とは異なる色のベタ印刷を施して、あたかも２色成形法によって本体ケースが成形してあるような印象を発揮できるようにし、さらに、印刷インクにトルマリンの微粉末を混入して、ベタ印刷部分に外部刺激が加わるときマイナスイオンを発生できるようにしている。
【０００３】
【特許文献１】特開２００４−２０６８００号公報（段落番号００１３、図１）
【発明の開示】
【発明が解決しようとする課題】
【０００４】
ディスクカートリッジの訴求効果を高めて消費者の購買意欲を刺激し、あるいは音楽情報などが記録されたディスクカートリッジの識別や管理などを容易化するために、本体ケースを着色した製品が市販されている。本体ケースの着色形態はメーカーによって多様であるが、本体ケースが例えば淡い色に着色してある場合や、本体ケースが半透明の場合などには、ディスク表面が金属光沢を呈し光を反射しやすいこともあって、ケース内のディスクが透けて見え、あるいはその外縁形状が見えてしまう。そのため、本体ケースに商品名やメーカー名、あるいは装飾模様などが印刷してあっても、ディスクの外縁形状と印刷表示とが重なって視認され、印刷された各表示のデザイン効果を十分に発揮できず、印刷表示や装飾模様などによる訴求効果が損なわれやすい。さらに、本体ケースが不透明の場合に比べて雑然とした印象を与えやすい。
【０００５】
本発明の目的は、本体ケースが淡い色に着色してある場合であっても、ケース内に収容したディスクが透けて見え、あるいはその外縁形状が見えるのを解消でき、したがって本体ケースの表面に設けた印刷表示や装飾模様などが十分なデザイン効果を発揮して訴求効果を向上できるディスクカートリッジを提供することにある。
【課題を解決するための手段】
【０００６】
本発明のディスクカートリッジは、本体ケース１と、本体ケース１の内部に収容される情報記録用のディスク２とを備えている。本体ケース１は乳白色化された淡い色彩のプラスチック材で成形してあり、ディスク２のレーベル面側には白色印刷層１２が形成されている。
【０００７】
本体ケース１の表面には、マットインクを用いて半透明のベタ印刷層１０を形成する。
【０００８】
本体ケース１は、上下一対のハーフケース１ａ・１ｂを蓋合わせ状に結合してなり、両ハーフケース１ａ・１ｂのうち、上ハーフケース１ａを乳白色化された淡い色彩のプラスチック材で成形する。上ハーフケース１ａと対向するディスク２のレーベル面側に白色印刷層１２を形成すればよい。
【発明の効果】
【０００９】
本発明においては、ディスク２のレーベル面側に白色印刷層１２を形成して、レーベル面側で光が反射するのを白色印刷層１２で阻止できるようにした。さらに、乳白色化された淡い色彩のプラスチック材で成形した本体ケース１と、ディスク２の白色印刷層１２との色合とを近似させて、ディスク２が本体ケース１内を介して透けて見えたり、あるいはその外縁形状が見えたりするのを解消できるようにした。したがって、本発明によれば、ケース内に収容したディスク２の外縁形状などと、本体ケース１の表面に設けた印刷表示や装飾模様などが同時に重なって見えるのを解消し、印刷表示や装飾模様だけを明確に表示できるので、四角形の本体ケース１のケース表面における印刷表示などのデザイン効果を十分に発揮させて、購買者に対するディスクカートリッジの訴求効果を向上できる。
【００１０】
本体ケース１の表面にマットインクを用いて半透明のベタ印刷層１０が形成されていると、通常のプロセスインクを用いて光沢のあるベタ印刷層を形成する場合に比べて、ベタ印刷層１０を光沢のない引き締まった感じに仕上げて、その表面に施される印刷表示がシャープに仕上がる、さらに半透明のベタ印刷層１０を介して見える本体ケース１の淡い色彩の深みが増して、後に印刷される印刷表示などが引き立ち、そのデザイン効果がさらに向上する。
【００１１】
本体ケース１を構成するハーフケース１ａ・１ｂのうち、上ハーフケース１ａを乳白色化された淡い色彩のプラスチック材で成形し、上ハーフケース１ａと対向するディスク２のレーベル面側に白色印刷層１２を形成したディスクカートリッジによれば、上ハーフケース１ａとディスク２との色合を近似させることで、ディスク２の外縁形状などが見えるのを解消できるので、下ハーフケース１ｂの色は自由に選定してケースデザインをさらに多様化し、色感や印象が多様に異なるディスクカートリッジをシリーズ商品化できる点で有利である。
【発明を実施するための最良の形態】
【００１２】
（実施例）  図１ないし図３は本発明をミニディスク（ディスクカートリッジ）に適用した実施例を示す。図１においてミニディスクは、四角形状の本体ケース１と、本体ケース１の内部に収容される情報記録用のディスク２とからなる。
【００１３】
本体ケース１は、図３に示すように上下一対のハーフケース１ａ・１ｂを蓋合わせ状に結合してなり、各ハーフケース１ａ・１ｂの一側中央にシャッター３で開閉される信号読書窓４が開口している。信号読書窓４を含むシャッター３のスライドエリア５は浅い凹部で形成してあり、その隣にタイトルラベル貼り付け用のラベルエリア６が同様の浅い凹部として形成してある。
【００１４】
両ハーフケース１ａ・１ｂはそれぞれ射出成形品である。詳しくは、上ハーフケース１ａを乳白色化された淡い色彩のプラスチック材を素材にして成形する。さらに上ハーフケース１ａの外表面には、酸化チタンを含むマットインクを用いて、半透明のベタ印刷層１０をシルクスクリーン法で印刷する。図１および図２においてベタ印刷層１０は、スライドエリア５を除く上ハーフケース１ａの上面壁の全体に形成されており、その表面には商品名やメーカー名、あるいは装飾模様などの印刷表示が、後の印刷工程において形成される。
【００１５】
多くの場合、ミニディスクは５個あるいは１０個ひとまとめに包装した状態で販売するが、色彩が異なるミニディスクを組み合わせてひとまとめにしてある。例えば、上ハーフケース１ａは、乳白色化された淡いピンク色、乳白色化された淡い黄色、乳白色化された淡い青色、乳白色化された淡い緑色、乳白色化された淡い肌色などの着色プラスチック材で成形し、これら５種類のミニディスクの５個あるいは１０個をひとまとめにして包装する。なお、下ハーフケース１ｂは乳白色のプラスチック材を素材にして成形してあり、その表面は鏡面化されている。
【００１６】
シャッター３は、上ハーフケース１ａと同じ乳白色化された淡い色彩のプラスチック材で成形し、その主面壁３ａに、ベタ印刷層１０と同じ半透明のマットインクを用いてベタ印刷層１１が形成されている。
【００１７】
信号読書窓４を閉じた状態のシャッター３は、本体ケース１の内部に配置したロック体（図示していない）で開放不能にロック保持される。ベタ印刷層１１の表面には、ディスク２の記録可能な時間や、ミニディスクの機能説明などの印刷表示が印刷工程において施される。
【００１８】
情報記録用のディスク２は光磁気ディスクであり、上ハーフケース１ａと対向するディスク面、すなわちレーベル面の側に白色印刷層１２を形成してある。白色印刷層１２は、例えばシルクスクリーン法などで形成することができる。
【００１９】
ディスク２のレーベル面側に白色印刷層１２が形成されていると、レーベル面での光の反射が白色印刷層１２で阻止され、さらに白色印刷層１２と上ハーフケース１ａの色合とが近似するため、本体ケース１内のディスク２は上ハーフケース１ａを介して透けて見えたり、あるいはその外縁形状が見えるのを解消できる。
【００２０】
さらに、上ハーフケース１ａの外表面にはマットインクを用いて半透明のベタ印刷層１０が形成されているので、表面で光沢が生じるのを防ぎながら、半透明のベタ印刷層１０を通して見える上ハーフケース１ａの淡い色彩の深みを一段と増すことができる。したがって、上ハーフケース１ａの外表面に印刷表示を直接施す場合に比べて、ベタ印刷層１０の表面に施される商品名やメーカー名、あるいは装飾模様などの印刷表示を明確に表示し、デザイナーが意図した通りのデザイン効果を発揮し、ミニディスクの購買者に対する訴求効果が向上する。
【００２１】
上記の実施例では、ディスク２のレーベル面側に白色印刷層１２を形成したが、必要があれば、上ハーフケース１ａの色彩と同じ色の印刷層を形成して白色印刷層１２とすることができる。つまり白色印刷層１２の色彩は、白色に限定されず、乳白色化された淡い色彩や、乳白色を含む。上ハーフケース１ａの色彩に関して、乳白色化された淡い色彩とは、有彩色と無彩色のいずれをも含む。下ハーフケース１ｂの色彩は、上ハーフケース１ａの色彩と同じであってもよいし、必要があれば任意の色で着色してあってもよい。本発明は、ミニディスク以外のディスクカートリッジにも広く適用できる。
【図面の簡単な説明】
【００２２】
【図１】ディスクカートリッジの平面図である。
【図２】ディスクカートリッジの分解斜視図である。
【図３】図１におけるＡ−Ａ線断面図である。
【符号の説明】
【００２３】
１  本体ケース
１ａ  上ハーフケース
１ｂ  下ハーフケース
２  ディスク
１２  白色印刷層
【図１】
2007095225.tif 000003
【図２】
2007095225.tif 000004
【図３】
2007095225.tif 000005